(57)【特許請求の範囲】
【請求項１】
横長の画像および縦長の画像を投射可能なプロジェクターであって、
第１電極および第２電極を有し、光を射出する放電灯と、
前記放電灯に駆動電流を供給する放電灯駆動部と、
前記放電灯から射出される光を画像情報に応じて変調する光変調装置と、
前記光変調装置により変調された光を投射する投射光学装置と、
前記プロジェクターの設置姿勢に応じて前記放電灯を冷却する冷却部と、
前記設置姿勢を検出する検出部と、
前記放電灯駆動部および前記冷却部を制御する制御部と、
を備え、
前記設置姿勢は、前記横長の画像を投射する第１姿勢と、前記縦長の画像を投射する第２姿勢と、を含み、
前記制御部は、前記検出部により検出された前記設置姿勢が、前記第１姿勢および前記第２姿勢のいずれとも異なる第３姿勢である場合、前記放電灯を消灯させるように前記放電灯駆動部を制御することを特徴とするプロジェクター。
【請求項２】
前記第２姿勢および前記第３姿勢は、前記第１電極および前記第２電極が鉛直方向に並んで配置される姿勢であり、
前記第２姿勢においては、前記第１電極および前記第２電極のうち一方の電極が、他方の電極よりも鉛直方向上側に配置され、
前記第３姿勢においては、前記他方の電極が、前記一方の電極よりも鉛直方向上側に配置される、請求項１に記載のプロジェクター。
【請求項３】
前記第３姿勢は、前記冷却部による前記放電灯の冷却が不十分となる姿勢である、請求項１または２に記載のプロジェクター。
【請求項４】
前記第２姿勢は、前記第１姿勢に対して前記投射光学装置から投射される光の投射方向が略同じとなるように前記プロジェクターを回転させた姿勢である、請求項１から３のいずれか一項に記載のプロジェクター。
【請求項５】
前記制御部は、検出された前記設置姿勢が前記第３姿勢である場合、警告を報知し、
前記制御部は、前記警告の報知から所定時間が経過した後に、前記放電灯を消灯させるように前記放電灯駆動部を制御する、請求項１から４のいずれか一項に記載のプロジェクター。
【請求項６】
前記プロジェクターの設定姿勢の入力を受け付ける入力部をさらに備え、
前記制御部は、前記入力部が受け付けた入力に応じて前記設定姿勢を設定し、
前記制御部は、検出された前記設置姿勢が前記設定姿勢と異なる場合、警告を報知する、請求項１から５のいずれか一項に記載のプロジェクター。
【請求項７】
前記制御部は、前記設定姿勢に応じて、前記冷却部の出力を変化させる、請求項６に記載のプロジェクター。
【請求項８】
光を射出する放電灯を備え、横長の画像および縦長の画像を投射可能なプロジェクターの制御方法であって、
前記プロジェクターの設置姿勢に応じて、前記放電灯を冷却することと、
前記設置姿勢を検出することと、
検出した前記設置姿勢が、前記横長の画像を投射する第１姿勢および前記縦長の画像を投射する第２姿勢のいずれとも異なる第３姿勢である場合、前記放電灯を消灯させることと、
を含むことを特徴とするプロジェクターの制御方法。
【発明の詳細な説明】
【技術分野】
【０００１】
本発明は、プロジェクター、およびプロジェクターの制御方法に関する。
【背景技術】
【０００２】
設置姿勢を変更することで、横長の投射画像に加えて縦長の投射画像を表示可能な投射型表示装置が知られている（例えば、特許文献１）。
【先行技術文献】
【特許文献】
【０００３】
【特許文献１】特開２０１５−６００８０号公報
【発明の概要】
【発明が解決しようとする課題】
【０００４】
上記のような投射型表示装置の光源として放電灯を用いる場合、放電灯において最も加熱される箇所は、投射型表示装置の設置姿勢によって異なる。そのため、投射型表示装置の設置姿勢によっては、放電灯を十分に冷却することが難しい場合があった。これにより、放電灯の劣化が加速し、放電灯の寿命が低下する問題があった。
【０００５】
本発明の一つの態様は、上記問題点に鑑みて成されたものであって、横長の画像および縦長の画像を投射可能なプロジェクターであって、放電灯の寿命が低下することを抑制できるプロジェクターを提供することを目的の一つとする。また、横長の画像および縦長の画像を投射可能なプロジェクターにおいて、放電灯の寿命が低下することを抑制できるプロジェクターの制御方法を提供することを目的の一つとする。
【課題を解決するための手段】
【０００６】
本発明のプロジェクターの一つの態様は、横長の画像および縦長の画像を投射可能なプロジェクターであって、第１電極および第２電極を有し、光を射出する放電灯と、前記放電灯に駆動電流を供給する放電灯駆動部と、前記放電灯から射出される光を画像情報に応じて変調する光変調装置と、前記光変調装置により変調された光を投射する投射光学装置と、前記プロジェクターの設置姿勢に応じて前記放電灯を冷却する冷却部と、前記設置姿勢を検出する検出部と、前記放電灯駆動部および前記冷却部を制御する制御部と、を備え、前記設置姿勢は、前記横長の画像を投射する第１姿勢と、前記縦長の画像を投射する第２姿勢と、を含み、前記制御部は、前記検出部により検出された前記設置姿勢が、前記第１姿勢および前記第２姿勢のいずれとも異なる第３姿勢である場合、前記放電灯を消灯させるように前記放電灯駆動部を制御することを特徴とする。
【０００７】
本発明のプロジェクターの一つの態様によれば、第１姿勢および第２姿勢のいずれとも異なる第３姿勢である場合に、放電灯が消灯される。そのため、第３姿勢において冷却部による放電灯の冷却が不十分となるような場合であっても、放電灯の劣化が加速することを抑制できる。これにより、放電灯の寿命を向上できる。
【０００８】
前記第２姿勢および前記第３姿勢は、前記第１電極および前記第２電極が鉛直方向に並んで配置される姿勢であり、前記第２姿勢においては、前記第１電極および前記第２電極のうち一方の電極が、他方の電極よりも鉛直方向上側に配置され、前記第３姿勢においては、前記他方の電極が、前記一方の電極よりも鉛直方向上側に配置される構成としてもよい。
この構成によれば、冷却装置の構造を簡単なものとしつつ、放電灯の寿命を向上できる。
【０００９】
前記第３姿勢は、前記冷却部による前記放電灯の冷却が不十分となる姿勢である構成としてもよい。
この構成によれば、放電灯が過剰に加熱されることを抑制できる。
【００１０】
前記第２姿勢は、前記第１姿勢に対して前記投射光学装置から投射される光の投射方向が略同じとなるように前記プロジェクターを回転させた姿勢である構成としてもよい。
この構成によれば、プロジェクターを縦横両方の姿勢で配置できるため、使用者の利便性を向上できる。
【００１１】
前記制御部は、検出された前記設置姿勢が前記第３姿勢である場合、警告を報知し、前記制御部は、前記警告の報知から所定時間が経過した後に、前記放電灯を消灯させるように前記放電灯駆動部を制御する構成としてもよい。
この構成によれば、使用者の利便性を向上できる。
【００１２】
前記プロジェクターの設定姿勢の入力を受け付ける入力部をさらに備え、前記制御部は、前記入力部が受け付けた入力に応じて前記設定姿勢を設定し、前記制御部は、検出された前記設置姿勢が前記設定姿勢と異なる場合、警告を報知する構成としてもよい。
この構成によれば、より放電灯の寿命を向上できる。
【００１３】
前記制御部は、前記設定姿勢に応じて、前記冷却部の出力を変化させる構成としてもよい。
この構成によれば、放電灯を好適に冷却することができる。
【００１４】
本発明のプロジェクターの制御方法の一つの態様は、光を射出する放電灯を備え、横長の画像および縦長の画像を投射可能なプロジェクターの制御方法であって、前記プロジェクターの設置姿勢に応じて、前記放電灯を冷却することと、前記設置姿勢を検出することと、検出した前記設置姿勢が、前記横長の画像を投射する第１姿勢および前記縦長の画像を投射する第２姿勢のいずれとも異なる第３姿勢である場合、前記放電灯を消灯させることと、を含むことを特徴とする。
【００１５】
本発明のプロジェクターの制御方法の一つの態様によれば、上述したのと同様にして、放電灯の寿命を向上できる。
【図面の簡単な説明】
【００１６】
【図１】本実施形態のプロジェクターの概略構成図である。
【図２】本実施形態の光源装置の構成を示す断面図であり、横置き姿勢における光源装置の配置を示す図である。
【図３】本実施形態の放電灯の部分拡大断面図である。
【図４】本実施形態の放電灯点灯装置および制御装置の回路図である。
【図５】本実施形態の制御装置の一構成例を示すブロック図である。
【図６】本実施形態のプロジェクターの各種構成要素を示すブロック図である。
【図７】本実施形態のプロジェクターの設置姿勢の一例を示す斜視図である。
【図８】本実施形態のプロジェクターの設置姿勢の一例を示す斜視図である。
【図９】本実施形態の縦置き姿勢における光源装置の配置を示す図である。
【図１０】本実施形態の逆縦置き姿勢における光源装置の配置を示す図である。
【図１１】本実施形態の制御部の制御手順の一例を示すフローチャートである。
【図１２】本実施形態の制御部の制御手順の他の一例を示すフローチャートである。
【発明を実施するための形態】
【００１７】
以下、図面を参照しながら、本発明の実施形態に係るプロジェクターについて説明する。
なお、本発明の範囲は、以下の実施の形態に限定されるものではなく、本発明の技術的思想の範囲内で任意に変更可能である。また、以下の図面においては、各構成をわかりやすくするために、実際の構造と各構造における縮尺や数等を異ならせる場合がある。
【００１８】
また、適宜図面においては、適宜３次元直交座標系としてＸＹＺ座標系を示す。ＸＹＺ座標系において、Ｚ軸方向は、鉛直方向とする。Ｙ軸方向およびＸ軸方向は、Ｚ軸方向と直交する水平方向であり、互いに直交する方向とする。また、以下の説明においては、Ｚ軸方向の正の側（＋Ｚ側）を鉛直方向上側と呼ぶ場合があり、Ｚ軸方向の負の側（−Ｚ側）を鉛直方向下側と呼ぶ場合がある。
【００１９】
図１は、本実施形態のプロジェクター５００の概略構成図である。プロジェクター５００は、横長の画像および縦長の画像を投射可能なプロジェクターである。図１に示すように、本実施形態のプロジェクター５００は、光源装置２００と、平行化レンズ３０５と、照明光学系３１０と、色分離光学系３２０と、３つの液晶ライトバルブ（光変調装置）３３０Ｒ，３３０Ｇ，３３０Ｂと、クロスダイクロイックプリズム３４０と、投射光学系（投射光学装置）３５０と、入力部４５と、加速度センサー（検出部）４６と、を備える。
【００２０】
光源装置２００から射出された光は、平行化レンズ３０５を通過して照明光学系３１０に入射する。平行化レンズ３０５は、光源装置２００からの光を平行化する。
【００２１】
照明光学系３１０は、光源装置２００から射出される光の照度を、液晶ライトバルブ３３０Ｒ，３３０Ｇ，３３０Ｂ上において均一化するように調整する。さらに、照明光学系３１０は、光源装置２００から射出される光の偏光方向を一方向に揃える。その理由は、光源装置２００から射出される光を液晶ライトバルブ３３０Ｒ，３３０Ｇ，３３０Ｂで有効に利用するためである。
【００２２】
照度分布と偏光方向とが調整された光は、色分離光学系３２０に入射する。色分離光学系３２０は、入射光を赤色光（Ｒ）、緑色光（Ｇ）、青色光（Ｂ）の３つの色光に分離する。３つの色光は、各色光に対応付けられた液晶ライトバルブ３３０Ｒ，３３０Ｇ，３３０Ｂにより、映像信号（画像情報）に応じてそれぞれ変調される。すなわち、液晶ライトバルブ３３０Ｒ，３３０Ｇ，３３０Ｂは、放電灯９０から射出される光を画像情報に応じて変調する。液晶ライトバルブ３３０Ｒ，３３０Ｇ，３３０Ｂは、後述する液晶パネル５６０Ｒ，５６０Ｇ，５６０Ｂと、偏光板（図示せず）と、を有する。偏光板は、液晶パネル５６０Ｒ，５６０Ｇ，５６０Ｂのそれぞれの光入射側および光射出側に配置される。
【００２３】
変調された３つの色光は、クロスダイクロイックプリズム３４０により合成される。合成光は投射光学系３５０に入射する。投射光学系３５０は、入射光をスクリーン７００（図６参照）に投射する。すなわち、投射光学系３５０は、液晶ライトバルブ３３０Ｒ，３３０Ｇ，３３０Ｂにより変調された光を投射する。これにより、スクリーン７００上に映像が表示される。なお、平行化レンズ３０５、照明光学系３１０、色分離光学系３２０、クロスダイクロイックプリズム３４０、投射光学系３５０の各々の構成としては、周知の構成を採用することができる。
【００２４】
光源装置２００は、光源ユニット２１０と、放電灯点灯装置１０と、制御装置（制御部）４０と、冷却装置（冷却部）５０と、を有する。
図２は、光源装置２００の構成を示す断面図である。図２には、光源ユニット２１０の断面図が示されている。図２においては、制御装置４０と冷却装置５０との図示を省略している。
【００２５】
光源ユニット２１０は、図２に示すように、放電灯９０と、主反射鏡（反射鏡）１１２と、副反射鏡１１３と、を有する。放電灯９０は、光を射出する。放電灯点灯装置１０は、放電灯９０に駆動電流Ｉを供給して放電灯９０を点灯させる。主反射鏡１１２は、放電灯９０から射出された光を照射方向Ｄに向けて反射する。照射方向Ｄは、放電灯９０の光軸ＡＸと平行である。
【００２６】
放電灯９０は、放電灯本体５１０と、第１電極９２および第２電極９３と、を有する。放電灯本体５１０の形状は、照射方向Ｄに沿って延びる棒状である。放電灯本体５１０の一方の端部、すなわち、放電灯９０の一方の端部を第１端部９０ｅ１とする。放電灯本体５１０の他方の端部、すなわち、放電灯９０の他方の端部を第２端部９０ｅ２とする。放電灯本体５１０の材料は、例えば、石英ガラス等の透光性材料である。放電灯本体５１０の中央部は球状に膨らんでおり、その内部は放電空間９１である。放電空間９１には、水銀、希ガス、金属ハロゲン化合物等を含む放電媒体であるガスが封入されている。
【００２７】
放電空間９１には、第１電極９２および第２電極９３の先端が突出している。第１電極９２は、放電空間９１の第１端部９０ｅ１側に配置されている。第２電極９３は、放電空間９１の第２端部９０ｅ２側に配置されている。第１電極９２および第２電極９３の形状は、光軸ＡＸに沿って延びる棒状である。放電空間９１には、第１電極９２および第２電極９３の電極先端部が、所定距離だけ離れて対向するように配置されている。第１電極９２および第２電極９３の材料は、例えば、タングステン等の金属である。
【００２８】
放電灯本体５１０は、放電空間９１を囲む内壁である第１壁部５１０ａ〜第４壁部５１０ｄを有する。第１壁部５１０ａおよび第２壁部５１０ｂは、放電空間９１に対して、第１電極９２および第２電極９３が並ぶ方向と直交する方向（図２では鉛直方向）の両端側に配置される壁部である。図２では、第１壁部５１０ａは、放電空間９１の上端側に位置する壁部であり、第２壁部５１０ｂは、放電空間９１の下端側に位置する壁部である。
【００２９】
第３壁部５１０ｃおよび第４壁部５１０ｄは、放電空間９１に対して、第１電極９２および第２電極９３が並ぶ方向（図２では左右方向）の両端側に配置される壁部である。図２では、第３壁部５１０ｃは、放電空間９１の第１電極９２側（図２では左側）に位置する壁部であり、第４壁部５１０ｄは、放電空間９１の第２電極９３側（図２では右側）に位置する壁部である。
【００３０】
図３は、放電灯９０の部分を示す拡大断面図である。
第１電極９２は、図３に示すように、芯棒５３３と、コイル部５３２と、本体部５３１と、突起５３１ｐと、を有する。第１電極９２は、放電灯本体５１０への封入前の段階において、芯棒５３３に電極材（タングステン等）の線材を巻き付けてコイル部５３２を形成し、形成されたコイル部５３２を加熱・溶融することにより形成される。これにより、第１電極９２の先端側には、熱容量が大きい本体部５３１と、アークＡＲの発生位置となる突起５３１ｐが形成される。
【００３１】
第２電極９３は、芯棒５４３と、コイル部５４２と、本体部５４１と、突起５４１ｐと、を有する。第２電極９３は、第１電極９２と同様にして形成される。
なお、第１電極９２と第２電極９３とは、同様の構成であるため、以下の説明においては、代表して第１電極９２についてのみ説明する場合がある。また、第１電極９２の先端の突起５３１ｐと第２電極９３の先端の突起５４１ｐとは、同様の構成であるため、以下の説明においては、代表して突起５３１ｐについてのみ説明する場合がある。
【００３２】
図２に示すように、放電灯９０の第１端部９０ｅ１には、第１端子５３６が設けられている。第１端子５３６と第１電極９２とは、放電灯９０の内部を貫通する導電性部材５３４により電気的に接続されている。同様に、放電灯９０の第２端部９０ｅ２には、第２端子５４６が設けられている。第２端子５４６と第２電極９３とは、放電灯９０の内部を貫通する導電性部材５４４により電気的に接続されている。第１端子５３６および第２端子５４６の材料は、例えば、タングステン等の金属である。導電性部材５３４，５４４の材料としては、例えば、モリブデン箔が利用される。
【００３３】
第１端子５３６および第２端子５４６は、放電灯点灯装置１０に接続されている。放電灯点灯装置１０は、第１端子５３６および第２端子５４６に、放電灯９０を駆動するための駆動電力を供給する。その結果、第１電極９２および第２電極９３の間でアーク放電が起きる。アーク放電により発生した光（放電光）は、破線の矢印で示すように、放電位置から全方向に向かって放射される。
【００３４】
図３に示すように、放電灯９０を点灯すると、放電空間９１内に封入されたガスは、アークＡＲの発生により加熱され、放電空間９１内において対流する。詳細には、アークＡＲおよびその付近の領域は極めて高温となるため、放電空間９１内において、アークＡＲから鉛直方向上側に流れる対流ＡＦ（図３に一点鎖線の矢印で示す）が形成される。対流ＡＦは、放電灯本体５１０の第１壁部５１０ａに当たって、放電灯本体５１０の第１壁部５１０ａから第３壁部５１０ｃおよび第４壁部５１０ｄに沿って移動し、第１電極９２および第２電極９３の芯棒５３３，５４３等を通過することによって冷却されつつ降下する。
【００３５】
降下した対流ＡＦは、放電灯本体５１０の第３壁部５１０ｃおよび第４壁部５１０ｄに沿って更に降下するが、アークＡＲの鉛直方向下側で互いに衝突して上方のアークＡＲに戻されるように上昇する。対流ＡＦが、放電灯本体５１０の内壁（第１壁部５１０ａ〜第４壁部５１０ｄ）を沿って移動することによって、放電灯本体５１０は加熱される。ここで、対流ＡＦは、アークＡＲの鉛直方向上側において最も温度が高く、アークＡＲの鉛直方向下側において最も温度が低い。そのため、アークＡＲの鉛直方向上側において対流ＡＦと接触する放電灯本体５１０の壁部が、放電灯本体５１０（放電灯９０）において最も高温となる最熱部となる。また、アークＡＲの鉛直方向下側において対流ＡＦと接触する放電灯本体５１０の壁部が、放電灯本体５１０（放電灯９０）において最も低温となる最冷部となる。
【００３６】
図３の例では、第１壁部５１０ａがアークＡＲの鉛直方向上側に位置するため、第１壁部５１０ａが最も高温となる最熱部となる。一方、第２壁部５１０ｂがアークＡＲの鉛直方向下側に位置するため、第２壁部５１０ｂが最も低温となる最冷部となる。
【００３７】
主反射鏡１１２は、図２に示すように、固定部材１１４により、放電灯９０の第１端部９０ｅ１に固定されている。主反射鏡１１２は、放電光のうち、照射方向Ｄと反対側に向かって進む光を照射方向Ｄに向かって反射する。主反射鏡１１２の反射面（放電灯９０側の面）の形状は、放電光を照射方向Ｄに向かって反射できる範囲内において、特に限定されず、例えば、回転楕円形状であっても、回転放物線形状であってもよい。例えば、主反射鏡１１２の反射面の形状を回転放物線形状とした場合、主反射鏡１１２は、放電光を光軸ＡＸに略平行な光に変換することができる。これにより、平行化レンズ３０５を省略することができる。
【００３８】
副反射鏡１１３は、固定部材５２２により、放電灯９０の第２端部９０ｅ２側に固定されている。副反射鏡１１３の反射面（放電灯９０側の面）の形状は、放電空間９１の第２端部９０ｅ２側の部分を囲む球面形状である。副反射鏡１１３は、放電光のうち、主反射鏡１１２が配置された側と反対側に向かって進む光を主反射鏡１１２に向かって反射する。これにより、放電空間９１から放射される光の利用効率を高めることができる。
【００３９】
固定部材１１４，５２２の材料は、放電灯９０からの発熱に耐え得る耐熱材料である範囲内において、特に限定されず、例えば、無機接着剤である。
【００４０】
図４は、放電灯点灯装置１０および制御装置４０の回路構成の一例を示す図である。
放電灯点灯装置１０は、図４に示すように、電力制御回路２０と、極性反転回路３０と、動作検出部６０と、イグナイター回路７０と、を有する。
【００４１】
電力制御回路２０は、放電灯９０に供給する駆動電力を生成する。本実施形態においては、電力制御回路２０は、直流電源装置８０からの電圧を入力とし、入力電圧を降圧して直流電流Ｉｄを出力するダウンチョッパー回路で構成されている。
【００４２】
電力制御回路２０は、スイッチ素子２１、ダイオード２２、コイル２３およびコンデンサー２４を含んで構成される。スイッチ素子２１は、例えば、トランジスターで構成される。本実施形態においては、スイッチ素子２１の一端は直流電源装置８０の正電圧側に接続され、他端はダイオード２２のカソード端子およびコイル２３の一端に接続されている。
【００４３】
コイル２３の他端にコンデンサー２４の一端が接続され、コンデンサー２４の他端はダイオード２２のアノード端子および直流電源装置８０の負電圧側に接続されている。スイッチ素子２１の制御端子には、制御装置４０から電流制御信号が入力されてスイッチ素子２１のＯＮ／ＯＦＦが制御される。電流制御信号には、例えば、ＰＷＭ（Ｐｕｌｓｅ  Ｗｉｄｔｈ  Ｍｏｄｕｌａｔｉｏｎ）制御信号が用いられてもよい。
【００４４】
スイッチ素子２１がＯＮすると、コイル２３に電流が流れ、コイル２３にエネルギーが蓄えられる。その後、スイッチ素子２１がＯＦＦすると、コイル２３に蓄えられたエネルギーがコンデンサー２４とダイオード２２とを通る経路で放出される。その結果、スイッチ素子２１がＯＮする時間の割合に応じた直流電流Ｉｄが発生する。
【００４５】
極性反転回路３０は、電力制御回路２０から入力される直流電流Ｉｄを所定のタイミングで極性反転させる。これにより、極性反転回路３０は、制御された時間だけ継続する直流である駆動電流Ｉ、もしくは、任意の周波数を持つ交流である駆動電流Ｉを生成し、出力する。本実施形態において、極性反転回路３０は、インバーターブリッジ回路（フルブリッジ回路）で構成されている。
【００４６】
極性反転回路３０は、例えば、トランジスターなどで構成される第１のスイッチ素子３１、第２のスイッチ素子３２、第３のスイッチ素子３３、および第４のスイッチ素子３４を含んでいる。極性反転回路３０は、直列接続された第１のスイッチ素子３１および第２のスイッチ素子３２と、直列接続された第３のスイッチ素子３３および第４のスイッチ素子３４と、が互いに並列接続された構成を有する。第１のスイッチ素子３１、第２のスイッチ素子３２、第３のスイッチ素子３３、および第４のスイッチ素子３４の制御端子には、それぞれ制御装置４０から極性反転制御信号が入力される。この極性反転制御信号に基づいて、第１のスイッチ素子３１、第２のスイッチ素子３２、第３のスイッチ素子３３および第４のスイッチ素子３４のＯＮ／ＯＦＦ動作が制御される。
【００４７】
極性反転回路３０においては、第１のスイッチ素子３１および第４のスイッチ素子３４と、第２のスイッチ素子３２および第３のスイッチ素子３３と、を交互にＯＮ／ＯＦＦさせる動作が繰り返される。これにより、電力制御回路２０から出力される直流電流Ｉｄの極性が交互に反転する。極性反転回路３０は、第１のスイッチ素子３１と第２のスイッチ素子３２との共通接続点、および第３のスイッチ素子３３と第４のスイッチ素子３４との共通接続点から、制御された時間だけ同一極性状態を継続する直流である駆動電流Ｉ、もしくは制御された周波数をもつ交流である駆動電流Ｉを生成し、出力する。
【００４８】
すなわち、極性反転回路３０は、第１のスイッチ素子３１および第４のスイッチ素子３４がＯＮのときには第２のスイッチ素子３２および第３のスイッチ素子３３がＯＦＦであり、第１のスイッチ素子３１および第４のスイッチ素子３４がＯＦＦのときには第２のスイッチ素子３２および第３のスイッチ素子３３がＯＮであるように制御される。したがって、第１のスイッチ素子３１および第４のスイッチ素子３４がＯＮのときには、コンデンサー２４の一端から第１のスイッチ素子３１、放電灯９０、第４のスイッチ素子３４の順に流れる駆動電流Ｉが発生する。第２のスイッチ素子３２および第３のスイッチ素子３３がＯＮのときには、コンデンサー２４の一端から第３のスイッチ素子３３、放電灯９０、第２のスイッチ素子３２の順に流れる駆動電流Ｉが発生する。
【００４９】
本実施形態において、電力制御回路２０と極性反転回路３０とを合わせた部分が放電灯駆動部２３０に対応する。すなわち、放電灯駆動部２３０は、放電灯９０を駆動する駆動電流Ｉを放電灯９０に供給する。
【００５０】
動作検出部６０は、放電灯９０のランプ電圧を検出して制御装置４０にランプ電圧情報を出力する電圧検出部を含む。また、動作検出部６０は、駆動電流Ｉを検出して制御装置４０に駆動電流情報を出力する電流検出部などを含む。本実施形態においては、動作検出部６０は、第１の抵抗６１、第２の抵抗６２および第３の抵抗６３を含んで構成されている。
【００５１】
本実施形態において、動作検出部６０の電圧検出部は、放電灯９０と並列に、互いに直列接続された第１の抵抗６１および第２の抵抗６２で分圧した電圧によりランプ電圧を検出する。また、本実施形態において、電流検出部は、放電灯９０に直列に接続された第３の抵抗６３に発生する電圧により駆動電流Ｉを検出する。
【００５２】
イグナイター回路７０は、放電灯９０の点灯開始時にのみ動作する。イグナイター回路７０は、放電灯９０の点灯開始時に放電灯９０の電極間（第１電極９２と第２電極９３との間）を絶縁破壊して放電路を形成するために必要な高電圧（放電灯９０の通常点灯時よりも高い電圧）を、放電灯９０の電極間（第１電極９２と第２電極９３との間）に供給する。本実施形態においては、イグナイター回路７０は、放電灯９０と並列に接続されている。
【００５３】
制御装置４０は、プロジェクター５００の動作開始から動作停止に至るまでの各種の動作を制御する。制御装置４０は、駆動電流Ｉの駆動電流波形に従って放電灯駆動部２３０を制御する。また、制御装置４０は、冷却装置５０を制御する。図４の例では、制御装置４０は、電力制御回路２０および極性反転回路３０を制御することにより、駆動電流Ｉが同一極性を継続する保持時間、駆動電流Ｉの電流値、周波数等のパラメーターを制御する。制御装置４０は、極性反転回路３０に対して、駆動電流Ｉの極性反転タイミングにより、駆動電流Ｉが同一極性で継続する保持時間、駆動電流Ｉの周波数等を制御する極性反転制御を行う。制御装置４０は、電力制御回路２０に対して、出力される直流電流Ｉｄの電流値を制御する電流制御を行う。
【００５４】
制御装置４０の構成は、特に限定されない。本実施形態においては、制御装置４０は、システムコントローラー４１、電力制御回路コントローラー４２、および極性反転回路コントローラー４３を含んで構成されている。なお、制御装置４０は、その一部または全てを半導体集積回路で構成してもよい。
【００５５】
システムコントローラー４１は、電力制御回路コントローラー４２および極性反転回路コントローラー４３を制御することにより、電力制御回路２０および極性反転回路３０を制御する。システムコントローラー４１は、動作検出部６０が検出したランプ電圧および駆動電流Ｉに基づき、電力制御回路コントローラー４２および極性反転回路コントローラー４３を制御してもよい。
【００５６】
本実施形態においては、システムコントローラー４１には、記憶部４４が接続されている。
システムコントローラー４１は、記憶部４４に格納された情報に基づき、電力制御回路２０および極性反転回路３０を制御してもよい。記憶部４４には、例えば、駆動電流Ｉが同一極性で継続する保持時間、駆動電流Ｉの電流値、周波数、波形、変調パターン等の駆動パラメーターに関する情報が格納されていてもよい。
【００５７】
電力制御回路コントローラー４２は、システムコントローラー４１からの制御信号に基づき、電力制御回路２０へ電流制御信号を出力することにより、電力制御回路２０を制御する。
【００５８】
極性反転回路コントローラー４３は、システムコントローラー４１からの制御信号に基づき、極性反転回路３０へ極性反転制御信号を出力することにより、極性反転回路３０を制御する。
【００５９】
制御装置４０は、専用回路を用いて実現され、上述した制御や後述する処理の各種制御を行うようにすることができる。これに対して、制御装置４０は、例えば、記憶部４４に記憶された制御プログラムを実行することによりコンピューターとして機能し、これらの処理の各種制御を行うようにすることもできる。
【００６０】
図５は、制御装置４０の他の構成例について説明するための図である。図５に示すように、制御装置４０は、制御プログラムにより、電力制御回路２０を制御する電流制御手段４０−１、極性反転回路３０を制御する極性反転制御手段４０−２として機能するように構成されてもよい。
【００６１】
図１に示す冷却装置５０は、例えば、ファンにより構成されている。冷却装置５０のファンは、例えば、シロッコファンで構成されている。冷却装置５０のファンは、プロジェクター５００の筐体内の冷却空気を吸引して、光源ユニット２１０に送風する。冷却装置５０は、光源ユニット２１０の放電灯９０と、光源ユニット２１０の主反射鏡１１２と、を冷却可能である。
【００６２】
本実施形態において冷却装置５０は、例えば、放電灯９０と主反射鏡１１２とに送風可能な１つのファンを有する構成であってもよいし、放電灯９０に送風可能なファンと、主反射鏡１１２に送風可能なファンと、をそれぞれ含む構成であってもよい。
【００６３】
図示は省略するが、冷却装置５０は、光源ユニット２１０に向けて冷却空気が放出される開口部を開閉する開閉機構を有する。開閉機構は、重力を利用して、プロジェクター５００の姿勢に応じて、機構的、かつ、自動的に開口部を開閉する。これにより、冷却空気の放出される向きを変更することが可能であり、プロジェクター５００の設置姿勢ＳＡに応じて放電灯９０の冷却する部位を変更することができる。
【００６４】
冷却装置５０は、例えば、放電灯本体５１０の最熱部となる箇所に向けて冷却空気を送る。放電灯本体５１０の最熱部は、プロジェクター５００の設置姿勢ＳＡ（放電灯９０の姿勢）に応じて変化する。開閉機構は、冷却空気が放電灯本体５１０の最熱部に送られるように、プロジェクター５００の設置姿勢ＳＡの変化に応じて冷却空気の送風方向を変化させる。図２および図３の例では、第１壁部５１０ａが最熱部となるため、開閉機構は、第１壁部５１０ａに冷却空気が送られるように、冷却空気の送風方向を調整する。このように、冷却装置５０は、プロジェクター５００の設置姿勢ＳＡに応じて放電灯９０を冷却する。
【００６５】
図１に示す入力部４５は、使用者による所定の操作を受け付ける部分である。入力部４５は、例えば、プロジェクター５００の電源のＯＮ／ＯＦＦ、点灯モードの変更等の使用者による操作を受け付ける。本実施形態において入力部４５は、制御装置４０に接続されている。使用者の操作を受け付けた場合、入力部４５は、制御装置４０に、操作に応じた操作信号を出力する。
【００６６】
入力部４５が操作を受け付ける方法は、特に限定されない。入力部４５は、例えば、プロジェクター５００の筐体に取り付けられた各種ボタンが押されることによって操作を受け付けてもよいし、プロジェクター５００のリモートコントローラーから送られる信号によって操作を受け付けてもよい。
【００６７】
加速度センサー４６は、プロジェクター５００の設置姿勢ＳＡを検出する。加速度センサー４６の構成は、特に限定されない。加速度センサー４６は、検出したプロジェクター５００の設置姿勢ＳＡの情報を制御装置４０に送る。加速度センサー４６が配置される箇所は、設置姿勢ＳＡを検出できるならば、特に限定されない。
【００６８】
以下、プロジェクター５００の回路構成について説明する。
図６は、本実施形態のプロジェクター５００の回路構成の一例を示す図である。プロジェクター５００は、図１に示した構成の他、図６に示すように、画像信号変換部５０１と、直流電源装置８０と、液晶パネル５６０Ｒ，５６０Ｇ，５６０Ｂと、画像処理装置５７０と、を備える。
【００６９】
画像信号変換部５０１は、外部から入力された画像信号５０２（輝度−色差信号やアナログＲＧＢ信号など）を所定のワード長のデジタルＲＧＢ信号に変換して画像信号５１２Ｒ，５１２Ｇ，５１２Ｂを生成し、画像処理装置５７０に供給する。
【００７０】
画像処理装置５７０は、３つの画像信号５１２Ｒ，５１２Ｇ，５１２Ｂに対してそれぞれ画像処理を行う。画像処理装置５７０は、液晶パネル５６０Ｒ，５６０Ｇ，５６０Ｂをそれぞれ駆動するための駆動信号５７２Ｒ，５７２Ｇ，５７２Ｂを液晶パネル５６０Ｒ，５６０Ｇ，５６０Ｂに供給する。
【００７１】
直流電源装置８０は、外部の交流電源６００から供給される交流電圧を一定の直流電圧に変換する。直流電源装置８０は、トランス（図示しないが、直流電源装置８０に含まれる）の２次側にある画像信号変換部５０１、画像処理装置５７０およびトランスの１次側にある放電灯点灯装置１０に直流電圧を供給する。
【００７２】
放電灯点灯装置１０は、起動時に放電灯９０の電極間に高電圧を発生し、絶縁破壊を生じさせて放電路を形成する。以後、放電灯点灯装置１０は、放電灯９０が放電を維持するための駆動電流Ｉを供給する。
【００７３】
液晶パネル５６０Ｒ，５６０Ｇ，５６０Ｂは、前述した液晶ライトバルブ３３０Ｒ，３３０Ｇ，３３０Ｂにそれぞれ設けられている。液晶パネル５６０Ｒ，５６０Ｇ，５６０Ｂは、それぞれ駆動信号５７２Ｒ，５７２Ｇ，５７２Ｂに基づいて、前述した光学系を介して各液晶パネル５６０Ｒ，５６０Ｇ，５６０Ｂに入射される色光の透過率（輝度）を変調する。
【００７４】
次に、プロジェクター５００の設置姿勢ＳＡについて説明する。図７および図８は、プロジェクター５００の設置姿勢ＳＡを示す斜視図である。図７においては、プロジェクター５００が横置きされ、横長の画像である横長画像ＧＳをスクリーン７００に投射する場合を示している。図８においては、プロジェクター５００が縦置きされ、縦長の画像である縦長画像ＧＬをスクリーン７００に投射する場合を示している。図７および図８においては、プロジェクター５００から画像が投射される方向をＸ軸方向と略平行な方向として示している。
【００７５】
以下の説明においては、図７に示すプロジェクター５００の設置姿勢ＳＡを、横置き姿勢（第１姿勢）ＡＰ１と呼び、図８に示すプロジェクター５００の設置姿勢ＳＡを、縦置き姿勢（第２姿勢）ＡＰ２と呼ぶ。
【００７６】
図７および図８に示すように、プロジェクター５００は、横置き姿勢ＡＰ１および縦置き姿勢ＡＰ２で設置することが可能である。すなわち、プロジェクター５００の設置姿勢ＳＡは、横置き姿勢ＡＰ１と、縦置き姿勢ＡＰ２と、を含む。
【００７７】
図７に示すように、横置き姿勢ＡＰ１は、横長画像ＧＳを投射する姿勢である。横長画像ＧＳは、使用者から視て、横方向の寸法が縦方向の寸法よりも大きい画像である。図７の例では、横長画像ＧＳは、水平方向（Ｙ軸方向）の寸法が鉛直方向（Ｚ軸方向）の寸法よりも大きい。
【００７８】
図８に示すように、縦置き姿勢ＡＰ２は、縦長画像ＧＬを投射する姿勢である。縦長画像ＧＬは、使用者から視て、縦方向の寸法が横方向の寸法よりも大きい画像である。図８の例では、縦長画像ＧＬは、鉛直方向（Ｚ軸方向）の寸法が水平方向（Ｙ軸方向）の寸法よりも大きい。
【００７９】
縦置き姿勢ＡＰ２は、横置き姿勢ＡＰ１に対して投射光学系３５０から投射される光の投射方向が略同じとなるようにプロジェクター５００を回転させた姿勢である。図７および図８の例では、縦置き姿勢ＡＰ２は、横置き姿勢ＡＰ１に対して、プロジェクター５００を、画像が投射される方向と略平行なＸ軸周り（θｘ方向）に９０°回転させた姿勢である。
【００８０】
なお、本実施形態においては、図７に示す横置き姿勢ＡＰ１におけるプロジェクター５００のＸ軸周りの回転角度θｘを０°とする。また、プロジェクター５００からスクリーン７００に向かって反時計回りとなるθｘの向きを正の向きとし、図８に示す縦置き姿勢ＡＰ２のＸ軸周りの回転角度θｘを９０°とする。
【００８１】
次に、横置き姿勢ＡＰ１および縦置き姿勢ＡＰ２における電極の配置について説明する。横置き姿勢ＡＰ１における放電灯９０の配置は、図２および図３に示すように、第１電極９２および第２電極９３が鉛直方向（Ｚ軸方向）と直交する水平方向に並ぶ配置である。横置き姿勢ＡＰ１においては、放電灯本体５１０の第１壁部５１０ａがアークＡＲの鉛直方向上側に位置する。そのため、第１壁部５１０ａが最熱部となる。横置き姿勢ＡＰ１において、冷却装置５０は、例えば、第１壁部５１０ａに向けて冷却空気を送る。
【００８２】
図９は、縦置き姿勢ＡＰ２における光源装置２００の配置を示す図である。図９に示すように、縦置き姿勢ＡＰ２は、第１電極９２および第２電極９３が鉛直方向（Ｚ軸方向）に並んで配置される姿勢である。縦置き姿勢ＡＰ２においては、第１電極９２が第２電極９３よりも鉛直方向上側（＋Ｚ側）に配置される。
【００８３】
縦置き姿勢ＡＰ２においては、放電灯本体５１０の第１壁部５１０ａ〜第４壁部５１０ｄのうち第３壁部５１０ｃがアークＡＲの鉛直方向上側に位置する。そのため、縦置き姿勢ＡＰ２においては、第３壁部５１０ｃが最熱部となる。縦置き姿勢ＡＰ２において、冷却装置５０は、例えば、第３壁部５１０ｃに向けて冷却空気を送る。縦置き姿勢ＡＰ２において主反射鏡１１２の反射面は鉛直方向下側（−Ｚ側）を向いており、放電灯９０から射出された光は、主反射鏡１１２によって鉛直方向下向きに照射される。
【００８４】
本実施形態のプロジェクター５００は、上記説明した横置き姿勢ＡＰ１および縦置き姿勢ＡＰ２以外の姿勢でも設置可能である。言い換えると、プロジェクター５００の設置姿勢ＳＡは、横置き姿勢ＡＰ１および縦置き姿勢ＡＰ２以外の姿勢も含む。例えば、プロジェクター５００は、回転角度θｘが、０°以上、１８０°以下の範囲内において設置可能である。また、例えば、プロジェクター５００は、横置き姿勢ＡＰ１に対して、鉛直方向と直交し、かつ、スクリーン７００と平行な方向（Ｙ軸方向）周り（θＹ方向）にプロジェクター５００を回転させた設置姿勢ＳＡにおいても設置可能である。
【００８５】
なお、本明細書において、プロジェクターを設置可能である、とは、冷却装置によって放電灯を十分に冷却できる姿勢でプロジェクターが設置されていることを含む。また、放電灯を十分に冷却できる姿勢、とは、放電灯本体におけるアークＡＲの鉛直方向上側に位置する壁部（最熱部）に向けて、冷却装置から冷却空気が送られることを含む。以下の説明においては、設置可能なプロジェクターの設置姿勢ＳＡを、適正な設置姿勢ＳＡと呼ぶ場合がある。
【００８６】
一方、本実施形態のプロジェクター５００には、設置不可能な設置姿勢ＳＡもある。図１０は、逆縦置き姿勢（第３姿勢）ＡＰ３における光源装置２００の配置を示す図である。本実施形態において逆縦置き姿勢ＡＰ３は、プロジェクター５００における設置不可能な設置姿勢ＳＡである。図１０に示すように、逆縦置き姿勢ＡＰ３は、第１電極９２および第２電極９３が鉛直方向に並んで配置される姿勢である。逆縦置き姿勢ＡＰ３における回転角度θｘは、２７０°である。すなわち、逆縦置き姿勢ＡＰ３は、縦置き姿勢ＡＰ２を上下反対にした姿勢である。逆縦置き姿勢ＡＰ３においては、第２電極９３が第１電極９２よりも鉛直方向上側（＋Ｚ側）に配置される。すなわち、縦置き姿勢ＡＰ２においては、第１電極９２および第２電極９３のうち一方の電極が、他方の電極よりも鉛直方向上側に配置され、逆縦置き姿勢ＡＰ３においては、他方の電極が、一方の電極よりも鉛直方向上側に配置される。
【００８７】
逆縦置き姿勢ＡＰ３においては、放電灯本体５１０の第１壁部５１０ａ〜第４壁部５１０ｄのうち第４壁部５１０ｄがアークＡＲの鉛直方向上側に位置する。そのため、逆縦置き姿勢ＡＰ３においては、第４壁部５１０ｄが最熱部となる。例えば、本実施形態において冷却装置５０は、逆縦置き姿勢ＡＰ３においては、第４壁部５１０ｄに向けて冷却空気を送ることができない。そのため、逆縦置き姿勢ＡＰ３は、冷却装置５０による放電灯９０の冷却が不十分となる姿勢である。逆縦置き姿勢ＡＰ３において主反射鏡１１２の反射面は鉛直方向上側（＋Ｚ側）を向いており、放電灯９０から射出された光は、主反射鏡１１２によって鉛直方向上向きに照射される。
【００８８】
なお、本明細書において、プロジェクターを設置不可能である、とは、冷却装置による放電灯の冷却が不十分となる姿勢でプロジェクターが設置されていることを含む。また、放電灯の冷却が不十分となる姿勢、とは、放電灯本体におけるアークＡＲの鉛直方向上側に位置する壁部（最熱部）に向けて、冷却装置から冷却空気を送ることができない姿勢を含む。また、放電灯の冷却が不十分となる姿勢、とは、放電灯本体におけるアークＡＲの鉛直方向上側に位置する壁部（最熱部）に向けて冷却装置から冷却空気を放出しても、放電灯等、何らかの部材によって冷却空気が遮られ、冷却空気の多くが最熱部となる壁部に到達しない姿勢を含む。以下の説明においては、設置不可能なプロジェクターの設置姿勢ＳＡを、所定姿勢（第３姿勢）ＵＡと呼ぶ場合がある。
【００８９】
次に、本実施形態の制御装置４０による制御について説明する。図１１は、本実施形態の制御装置４０の制御手順の一例を示すフローチャートである。図１１に示すように、制御装置４０は、プロジェクター５００が起動した（ステップＳ１１）後、加速度センサー４６でプロジェクター５００の設置姿勢ＳＡを検出する（ステップＳ１２）。そして、制御装置４０は、検出されたプロジェクター５００の設置姿勢ＳＡが所定姿勢ＵＡであるか否かを判断する（ステップＳ１３）。
【００９０】
プロジェクター５００の設置姿勢ＳＡが所定姿勢ＵＡでない場合（ステップＳ１３：ＮＯ）、制御装置４０は、プロジェクター５００の起動状態をそのまま維持し、その後も加速度センサー４６を用いた設置姿勢ＳＡの監視を続ける。ここで、加速度センサー４６による設置姿勢ＳＡの検出（ステップＳ１２）および所定姿勢ＵＡであるか否かの判断（ステップＳ１３）は、常時行ってもよいし、所定の間隔を空けて行ってもよい。
【００９１】
一方、プロジェクター５００の設置姿勢ＳＡが所定姿勢ＵＡである場合（ステップＳ１３：ＹＥＳ）、制御装置４０は、警告メッセージを表示する（ステップＳ１４）。すなわち、制御装置４０は、検出されたプロジェクター５００の設置姿勢ＳＡが所定姿勢ＵＡである場合、警告を報知する。本実施形態において所定姿勢ＵＡは、例えば、逆縦置き姿勢ＡＰ３を含む。この場合において報知される警告の内容は、プロジェクター５００の設置姿勢ＳＡが所定姿勢ＵＡであること、所定姿勢ＵＡが維持される場合、プロジェクター５００の電源をＯＦＦにすること、プロジェクター５００の設置姿勢ＳＡを適正な設置姿勢ＳＡに修正するよう促すこと、等を含む。
【００９２】
警告メッセージは、例えば、スクリーン７００に投射される画像内に表示されてもよいし、プロジェクター５００に取り付けられたディスプレイに表示されてもよい。なお、警告の報知は、警告メッセージに限られず、使用者に警告を報知できる態様ならば、特に限定されない。警告の報知は、例えば、音声によるものであってもよいし、プロジェクター５００に取り付けられたインジケーターランプの点滅によるもの等であってもよい。
【００９３】
制御装置４０は、警告を報知した後、再度、加速度センサー４６によって、プロジェクター５００の設置姿勢ＳＡを検出し（ステップＳ１５）、プロジェクター５００の設置姿勢ＳＡが、所定姿勢ＵＡから適正な設置姿勢ＳＡに修正されたか否かを判断する（ステップＳ１６）。本実施形態において適正な設置姿勢ＳＡは、横置き姿勢ＡＰ１および縦置き姿勢ＡＰ２を含む。
【００９４】
プロジェクター５００の設置姿勢ＳＡが、適正な設置姿勢ＳＡに修正された場合（ステップＳ１６：ＹＥＳ）、制御装置４０は、警告メッセージを消去し（ステップＳ１７）、プロジェクター５００の起動状態をそのまま維持する。
【００９５】
一方、プロジェクター５００の設置姿勢ＳＡが、所定姿勢ＵＡのままの場合（ステップＳ１６：ＮＯ）、制御装置４０は、警告メッセージを表示した時点から所定時間が経過したか否かを判断する（ステップＳ１８）。所定時間が経過していない場合（ステップＳ１８：ＮＯ）、制御装置４０は、再び、設置姿勢ＳＡの検出と、設置姿勢ＳＡが適正な設置姿勢ＳＡに修正されたか否かの判断と、を行う。すなわち、制御装置４０は、設置姿勢ＳＡが所定姿勢ＵＡのまま維持される場合、警告メッセージが表示されてから所定時間が経過するまでの間、設置姿勢ＳＡの検出と、設置姿勢ＳＡが修正されたか否かの判断と、を継続して行う。
【００９６】
制御装置４０は、プロジェクター５００の設置姿勢ＳＡが、所定姿勢ＵＡから修正されないまま所定時間が経過すると（ステップＳ１８：ＹＥＳ）、プロジェクター５００の電源をＯＦＦにする（ステップＳ１９）。すなわち、制御装置４０は、警告の報知から所定時間が経過した後に、放電灯９０を消灯させるように放電灯駆動部２３０を制御する。なお、所定時間は、例えば、１分以上、５分以下程度である。
【００９７】
以上のように、制御装置４０は、加速度センサー４６により検出されたプロジェクター５００の設置姿勢ＳＡが、適正な設置姿勢ＳＡ（横置き姿勢ＡＰ１および縦置き姿勢ＡＰ２）のいずれとも異なる所定姿勢ＵＡ（逆縦置き姿勢ＡＰ３）である場合、放電灯９０を消灯させるように、放電灯駆動部２３０を制御する。
【００９８】
上述した構成は、プロジェクター５００の制御方法としても表現できる。すなわち、本実施形態のプロジェクター５００の制御方法の一つの態様は、光を射出する放電灯９０を備え、横長画像ＧＳおよび縦長画像ＧＬを投射可能なプロジェクター５００の制御方法であって、プロジェクター５００の設置姿勢ＳＡに応じて、放電灯９０を冷却することと、プロジェクター５００の設置姿勢ＳＡを検出することと、検出したプロジェクター５００の設置姿勢ＳＡが、横長画像ＧＳを投射する横置き姿勢ＡＰ１および縦長画像ＧＬを投射する縦置き姿勢ＡＰ２のいずれとも異なる逆縦置き姿勢ＡＰ３（所定姿勢ＵＡ）である場合、放電灯９０を消灯させることと、を含むことを特徴とする。
【００９９】
プロジェクターの設置姿勢ＳＡが所定姿勢ＵＡである場合、放電灯を冷却装置によって十分に冷却できない。そのため、所定姿勢ＵＡのまま放電灯を点灯しつづけると、放電灯が高温となり、放電灯の劣化が加速する問題がある。また、放電灯が破損し、プロジェクターが破損する場合もある。
【０１００】
これに対して、本実施形態によれば、プロジェクター５００の設置姿勢ＳＡが所定姿勢ＵＡである場合、制御装置４０は、放電灯９０を消灯させるように放電灯駆動部２３０を制御する。そのため、放電灯９０の冷却が不十分な状態が長時間続くことを抑制でき、放電灯９０の劣化を抑制することができる。これにより、放電灯９０の寿命を向上させることができる。また、放電灯９０の破損、およびプロジェクター５００の破損を抑制することができる。
【０１０１】
また、例えば、あらゆるプロジェクターの設置姿勢ＳＡに対応して放電灯を十分に冷却できる冷却装置をプロジェクターに搭載すれば、上述した問題を解決することもできる。しかし、そのような冷却装置では、例えば、あらゆる向きに冷却空気を送ることを可能とする必要があるため、冷却装置の送風方向を電気的な制御によって制御する必要等がある。これにより、冷却装置の構造が複雑化し、冷却装置が大型化しやすい。したがって、プロジェクターが大型化する問題がある。また、冷却装置の製造コストが増大する。加えて、冷却装置の送風方向を制御する手間が増えるため、制御装置の製造コストも増大する。したがって、プロジェクターの製造コストが増大する問題がある。
【０１０２】
この問題に対して、本実施形態の冷却装置５０が有するような開閉機構は、重力を利用して、機構的、かつ、自動的に、プロジェクター５００の設置姿勢ＳＡに応じて、冷却装置５０の送風方向を変えることができる。そのため、冷却装置５０の構造を簡単なものとしつつ、ある程度のプロジェクター５００の設置姿勢ＳＡに対応して、放電灯９０を十分に冷却することができる。また、冷却装置５０の送風方向を制御する複雑な制御も必要ない。したがって、プロジェクター５００の大型化を抑制しつつ、プロジェクター５００の製造コストを低減できる。
【０１０３】
一方で、プロジェクター５００のように、横長画像ＧＳおよび縦長画像ＧＬを投射可能なプロジェクターにおいては、縦長画像ＧＬを投射可能な姿勢として、互いに上下反転する２つの姿勢を採用可能とする利点は極めて少ない。具体的には、縦置き姿勢ＡＰ２によって縦長画像ＧＬを投射可能な場合、逆縦置き姿勢ＡＰ３においても縦長画像ＧＬを投射可能とする利点は極めて少ない。言い換えれば、縦置き姿勢ＡＰ２および逆縦置き姿勢ＡＰ３のうちのいずれか一方のみにおいて縦長画像ＧＬを投射できれば、縦長画像ＧＬを投射可能なプロジェクターとしては十分な機能が得られる。
【０１０４】
したがって、プロジェクターをあらゆる設置姿勢ＳＡに対応させることは、プロジェクターの大型化および製造コストの増大を招き、かつ、得られる利点が少ない。これに対して、本実施形態のプロジェクター５００は、冷却装置５０の構造を簡単なものとして所定の設置姿勢ＳＡにおいてプロジェクター５００の設置を可能としつつ、所定姿勢ＵＡにおいては放電灯９０を消灯させる。これにより、横長画像ＧＳおよび縦長画像ＧＬを投射可能なプロジェクターとして十分な機能を得つつ、小型かつ低コストなプロジェクター５００が得られ、かつ、放電灯９０の寿命を向上させることができる。
【０１０５】
また、本実施形態によれば、放電灯９０が消灯される所定姿勢ＵＡは、第１電極９２および第２電極９３が鉛直方向に並ぶ逆縦置き姿勢ＡＰ３を含む。逆縦置き姿勢ＡＰ３は、縦置き姿勢ＡＰ２に対して、第１電極９２と第２電極９３との配置が上下逆となる姿勢である。本実施形態の冷却装置５０のように、冷却装置の送風方向を変化させる開閉機構を簡単な構成とした場合、横置き姿勢ＡＰ１および縦置き姿勢ＡＰ２に加えて、逆縦置き姿勢ＡＰ３においても放電灯を十分に冷却することは困難である。また、上述したように、縦長画像ＧＬを投射する姿勢として、縦置き姿勢ＡＰ２と逆縦置き姿勢ＡＰ３との両方の姿勢を採用可能とする利点は少ない。そのため、逆縦置き姿勢ＡＰ３を所定姿勢ＵＡとして、放電灯９０を消灯することで、冷却装置５０の構造を簡単にしつつ、放電灯９０の寿命を向上させることができる。
【０１０６】
また、本実施形態によれば、所定姿勢ＵＡは、冷却装置５０による放電灯９０の冷却が不十分となる姿勢である。そのため、所定姿勢ＵＡにおいて放電灯９０を消灯させることで、放電灯９０が過剰に高温となることを抑制でき、放電灯９０の寿命を向上させることができる。
【０１０７】
また、本実施形態によれば、縦置き姿勢ＡＰ２は、横置き姿勢ＡＰ１に対して投射光学系３５０から投射される光の投射方向が略同じとなるようにプロジェクター５００を回転させた姿勢である。そのため、プロジェクター５００を縦横いずれの向きに設置しても、スクリーン７００に画像を投射することができる。これにより、使用者の利便性を向上できる。
【０１０８】
また、本実施形態によれば、プロジェクター５００の設置姿勢ＳＡが所定姿勢ＵＡである場合に、警告が報知されるため、使用者はプロジェクター５００の設置異常を迅速に認識して、対処することが可能である。また、警告が報知されてから所定時間が経過した後に放電灯９０が消灯されるため、放電灯９０が突然消灯するようなことがなく、使用者に不意打ちを与えることがない。以上により、使用者に対する利便性に優れたプロジェクター５００が得られる。
【０１０９】
なお、本発明は上述の実施形態に限られず、他の構成を採用してもよい。以下の説明において上記説明と同様の構成については、適宜同一の符号を付す等により説明を省略する場合がある。
【０１１０】
上記説明において制御装置４０は、プロジェクター５００の設置姿勢ＳＡが所定姿勢ＵＡであった場合、プロジェクター５００の電源をＯＦＦにしたが、これに限られない。プロジェクター５００の設置姿勢ＳＡが所定姿勢ＵＡであった場合に放電灯９０が消灯されるならば、プロジェクター５００の電源はＯＮであってもよい。この場合、例えば、プロジェクター５００は放電灯９０に駆動電流Ｉが供給されない待機状態となっており、設置姿勢ＳＡを適正な設置姿勢ＳＡに修正した後、再び放電灯９０が点灯される。
【０１１１】
また、制御装置４０は、プロジェクター５００の電源をＯＦＦにする場合、警告メッセージ等の警告が報知されてから所定時間が経過したか否かを判断したが、これに限られない。制御装置４０は、加速度センサー４６によりプロジェクター５００の所定姿勢ＵＡが検出されてから所定時間が経過したか否かを判断する構成であってもよい。
【０１１２】
また、制御装置４０は、プロジェクター５００の設定姿勢ＣＡを設定してもよい。この場合、入力部４５は、プロジェクター５００の設定姿勢ＣＡの入力を受け付ける。例えば、入力部４５から使用者が設定姿勢ＣＡの入力を行った場合、制御装置４０は、入力部４５が受け付けた入力に応じて設定姿勢ＣＡを設定する。設定姿勢ＣＡは、プロジェクター５００の設置姿勢ＳＡを設定姿勢ＣＡとした場合に、プロジェクター５００の各種光学系および冷却装置５０の動作が最適化される姿勢である。
【０１１３】
例えば、設定姿勢ＣＡとして横置き姿勢ＡＰ１が設定された場合、投射光学系３５０から横長画像ＧＳが投射されるようにプロジェクター５００の各種光学系が調整される。設定姿勢ＣＡとして縦置き姿勢ＡＰ２が設定された場合、投射光学系３５０から縦長画像ＧＬが投射されるようにプロジェクター５００の各種光学系が調整される。
【０１１４】
また、例えば、設定姿勢ＣＡが設定されている場合、各姿勢において放電灯９０の冷却が好適となるように冷却装置５０の出力が調整される。すなわち、制御装置４０は、設定姿勢ＣＡに応じて、冷却装置５０の出力を変化させる。例えば、縦置き姿勢ＡＰ２においては、横置き姿勢ＡＰ１に比べて、冷却空気を放電灯９０の最熱部（第３壁部５１０ｃ）に当てにくいため、冷却装置５０の出力を横置き姿勢ＡＰ１の場合と同じ出力とすると放電灯９０の冷却効率が低下する場合がある。そのため、例えば、設定姿勢ＣＡが縦置き姿勢ＡＰ２に設定された場合においては、制御装置４０は、横置き姿勢ＡＰ１の場合に比べて冷却装置５０の出力を大きくする。これにより、縦置き姿勢ＡＰ２においても好適に放電灯９０を冷却することができる。したがって、各姿勢において放電灯９０の冷却を好適にでき、放電灯９０の寿命をより向上できる。
【０１１５】
なお、プロジェクター５００の記憶部４４には、例えば、プロジェクター５００の設定姿勢ＣＡの姿勢情報が予め格納されている。プロジェクター５００の電源を初めてＯＮにする場合、あるいは、使用者が設定姿勢ＣＡの変更を行わない場合、設定姿勢ＣＡは、予め記憶部４４に格納された姿勢情報に設定される。予め記憶部４４に格納される姿勢情報は、例えば、横置き姿勢ＡＰ１である。
【０１１６】
プロジェクター５００の設定姿勢ＣＡが設定されている場合、制御装置４０は、図１２に示すような制御手順を実行することもできる。図１２は、本実施形態の制御装置４０の制御手順の他の一例を示すフローチャートである。
【０１１７】
図１２に示すように、プロジェクター５００の設置姿勢ＳＡが所定姿勢ＵＡでなかった場合（ステップＳ１３：ＮＯ）、制御装置４０は、プロジェクター５００の設置姿勢ＳＡが設定姿勢ＣＡか否かを判断する（ステップＳ２１）。プロジェクター５００の設置姿勢ＳＡが設定姿勢ＣＡである場合（ステップＳ２１：ＹＥＳ）、制御装置４０は、プロジェクター５００の起動状態をそのまま維持し、その後も加速度センサー４６を用いた設置姿勢ＳＡの監視を続ける。
【０１１８】
一方、プロジェクター５００の設置姿勢ＳＡが設定姿勢ＣＡとは異なる場合（ステップＳ２１：ＮＯ）、制御装置４０は、警告メッセージを表示する（ステップＳ２２）。すなわち、制御装置４０は、検出されたプロジェクター５００の設置姿勢ＳＡが設定姿勢ＣＡと異なる場合、警告を報知する。この場合において報知される警告は、プロジェクター５００の設置姿勢ＳＡが設定姿勢ＣＡと異なること、プロジェクター５００の設置姿勢ＳＡを設定姿勢ＣＡに修正するよう促すこと、設定姿勢ＣＡを現在の設置姿勢ＳＡに合わせて修正するよう促すこと、等を含む。その他の点については、上述したステップＳ１４において報知される警告と同様である。
【０１１９】
制御装置４０は、警告を報知した後、再度、加速度センサー４６によって、設置姿勢ＳＡを検出し（ステップＳ２３）、設置姿勢ＳＡが設定姿勢ＣＡに修正されたか否かを判断する（ステップＳ２４）。プロジェクター５００の設置姿勢ＳＡが、設定姿勢ＣＡに修正された場合（ステップＳ２４：ＹＥＳ）、制御装置４０は、警告メッセージを消去し（ステップＳ２５）、プロジェクター５００の起動状態をそのまま維持する。なお、設置姿勢ＳＡが設定姿勢ＣＡに修正された場合だけでなく、設定姿勢ＣＡが現在の設置姿勢ＳＡに合わせて修正された場合であっても、制御装置４０の制御は、ステップＳ２４からステップＳ２５へと移行する。
【０１２０】
一方、プロジェクター５００の設置姿勢ＳＡが、設定姿勢ＣＡと異なるままの場合（ステップＳ２４：ＮＯ）、制御装置４０は、継続してプロジェクター５００の設置姿勢ＳＡを監視して、プロジェクター５００の設置姿勢ＳＡが設定姿勢ＣＡとなるまで警告を報知し続ける。
【０１２１】
以上の構成によれば、プロジェクター５００の設置姿勢ＳＡが設定姿勢ＣＡと異なる場合に、警告が報知されるため、使用者は設置姿勢ＳＡの誤りを迅速に認識できる。これにより、使用者の利便性を向上できる。また、設置姿勢ＳＡを設定姿勢ＣＡに修正することで、設置姿勢ＳＡに応じて、画像の出力状態および放電灯９０の冷却状態を好適にすることができる。したがって、放電灯９０の寿命をより向上できる。
【０１２２】
ここで、冷却装置５０の冷却空気が送られる向きは、開閉機構によってプロジェクター５００の設置姿勢ＳＡに応じて自動的に変化するため、プロジェクター５００の設置姿勢ＳＡに応じて放電灯９０の適正な箇所に冷却空気を送ることができる。そのため、設置姿勢ＳＡが設定姿勢ＣＡと異なる場合であっても、設置姿勢ＳＡが適正な設置姿勢ＳＡであれば、放電灯９０の冷却が不十分となることを抑制できる。したがって、プロジェクター５００の設置姿勢ＳＡが設定姿勢ＣＡと異なる場合には、設置姿勢ＳＡが所定姿勢ＵＡとなる場合と異なり、放電灯９０を消灯させなくても、放電灯９０の劣化が加速することを抑制できる。
【０１２３】
なお、プロジェクター５００の設置姿勢ＳＡが所定姿勢ＵＡの場合には、制御装置４０は、図１１に示した制御手順と同様の制御を行う。
【０１２４】
上述したように、設定姿勢ＣＡが設定されている場合であっても、制御装置４０は、設置姿勢ＳＡと設定姿勢ＣＡとを比較することなく、加速度センサー４６によって検出された設置姿勢ＳＡのみに基づいて、設置姿勢ＳＡが所定姿勢ＵＡであるか否かの判断を行う。例えば、プロジェクター５００の設置姿勢ＳＡが設定姿勢ＣＡと一致するか否かによって放電灯の消灯の判断を行う場合、誤って設定姿勢ＣＡとして所定姿勢ＵＡが設定されると、所定姿勢ＵＡのまま継続して放電灯が点灯し続ける場合がある。これに対して、上記の構成によれば、設定姿勢ＣＡとは無関係に、設置姿勢ＳＡが所定姿勢ＵＡであるか否かを判断するため、誤って設定姿勢ＣＡとして所定姿勢ＵＡが設定されても、適切に放電灯９０を消灯させることができる。これにより、放電灯９０の寿命をより向上でき、より信頼性に優れたプロジェクター５００が得られる。
【０１２５】
なお、上記実施形態において述べた各構成は、矛盾しない範囲内において、相互に組み合わせることができる。
【０１２６】
また、上述の実施形態において、透過型のプロジェクターに本発明を適用した場合の例について説明したが、本発明は、反射型のプロジェクターにも適用することも可能である。ここで、「透過型」とは、液晶パネル等を含む液晶ライトバルブが光を透過するタイプであることを意味する。「反射型」とは、液晶ライトバルブが光を反射するタイプであることを意味する。なお、光変調装置は、液晶パネル等に限られず、例えばマイクロミラーを用いた光変調装置であってもよい。
【０１２７】
また、上述の実施形態において、３つの液晶パネル５６０Ｒ，５６０Ｇ，５６０Ｂ（液晶ライトバルブ３３０Ｒ，３３０Ｇ，３３０Ｂ）を用いたプロジェクター５００の例を挙げたが、本発明は、１つの液晶パネルのみを用いたプロジェクター、４つ以上の液晶パネルを用いたプロジェクターにも適用可能である。
【符号の説明】
【０１２８】
４０…制御装置（制御部）、４５…入力部、４６…加速度センサー（検出部）、５０…冷却装置（冷却部）、９０…放電灯、９２…第１電極、９３…第２電極、２３０…放電灯駆動部、３３０Ｒ，３３０Ｇ，３３０Ｂ…液晶ライトバルブ（光変調装置）、３５０…投射光学系（投射光学装置）、５００…プロジェクター、ＡＰ１…横置き姿勢（第１姿勢）、ＡＰ２…縦置き姿勢（第２姿勢）、ＡＰ３…逆縦置き姿勢（第３姿勢）、ＣＡ…設定姿勢、Ｉ…駆動電流、ＳＡ…設置姿勢、ＵＡ…所定姿勢（第３姿勢）
【図１】
0006589654.tif 000002
【図２】
0006589654.tif 000003
【図３】
0006589654.tif 000004
【図４】
0006589654.tif 000005
【図５】
0006589654.tif 000006
【図６】
0006589654.tif 000007
【図７】
0006589654.tif 000008
【図８】
0006589654.tif 000009
【図９】
0006589654.tif 000010
【図１０】
0006589654.tif 000011
【図１１】
0006589654.tif 000012
【図１２】
0006589654.tif 000013